(57)【要約】  データディスクは、第１のフォーマットに従う少なくとも一つの層、及び第２のフォーマットに従う第２の層を含む幾つかの層から成る。フォーマットはＣＤ、ＤＶＤ、ＨＤ、ＢＤフォーマットを含むことができ、層は物理層、論理層、又はアプリケーション層であってもよい。【選択図】  図４
2008525938.tif 000002
【特許請求の範囲】
【請求項１】
基板と、
前記基板上に配置され、第１のプロトコルに従う第１のデータ層と、
前記基板上に支持され、第２のプロトコルに従う第２のデータ層と、
前記第１の層及び第２の層の上に配置された透明保護層と、
を備えるマルチフォーマット光ディスク。
【請求項２】
前記第１のデータ層が標準的なＤＶＤプロトコルに従い、前記第２のデータ層が高容量プロトコルに従う、請求項１に記載の光ディスク。
【請求項３】
前記二つのデータ層が、二つの異なるタイプの高容量プロトコルに従う、請求項１に記載のディスク。
【請求項４】
第１のデータ層が標準的なＨＤ−ＤＶＤプロトコルに従い、前記第２のデータ層がＢＤプロトコルに従う、請求項１に記載のディスク。
【請求項５】
前記二つのデータ層が重なり合う、請求項１に記載のディスク。
【請求項６】
前記第１のデータ層が、第２のデータ層を特徴付けるデータを含む、請求項１に記載のディスク。
【請求項７】
前記第１のデータ層が、前記第２のプロトコルを表わすテキスト及びオーディオファイルのうちの一方を含む、請求項６に記載のディスク。
【請求項８】
第３のデータ層を更に備え、三つの前記データ層が異なるプロトコルに従う、請求項１に記載のディスク。
【請求項９】
第３の層を更に備え、前記層のうちの一つが一つのプロトコルに従い、他の二つの層が第２のプロトコルに従う、請求項１に記載のディスク。
【請求項１０】
第１の側及び第２の側をもつ基板を有する支持層と、
前記第１の側に配置され、第１のプロトコルに従う第１のデータ層と、
前記第２の側に配置され、第２のプロトコルに従う第２のデータ層と、
を備え、
前記第１のプロトコル及び第２のプロトコルのうちの少なくとも一方が、ＨＤ−ＤＶＤプロトコル及びＢＤプロトコルのうちの一つを含む高容量プロトコルである、
マルチフォーマット光ディスク。
【請求項１１】
前記データ層のうちの一つが、標準的なＤＶＤプロトコルに従う、請求項１０に記載の光ディスク。
【請求項１２】
前記データ層のうちの一つが、ＣＤプロトコルに従う、請求項１０に記載の光ディスク。
【請求項１３】
前記第１の側に配置された第３のデータ層を更に備える、請求項１０に記載の光ディスク。
【請求項１４】
前記第３のデータ層が、標準的なＤＶＤプロトコル及び高容量プロトコルのうちの一つに従う、請求項１３に記載の光ディスク。
【請求項１５】
前記第１のデータ層及び第３のデータ層が重なり合う、請求項１３に記載の光ディスク。
【請求項１６】
前記基板が、物理フォーマット、論理フォーマット、及びアプリケーションフォーマットのうちの一つに従い、前記フォーマットがＤＶＤフォーマット、ＨＤフォーマット、及び、ＢＤフォーマットから選択される、請求項１０に記載の光ディスク。
【請求項１７】
前記層のうちの一つが第１のフォーマットに従い、残りの層のうちの少なくとも一つが第２のフォーマットに従う、請求項１６に記載の光ディスク。
【請求項１８】
第１のプロトコルに従う第１のデータ層及び第２のプロトコルに従う第２のデータ層を含む複数のデータ層を有する光ディスクを再生するプレーヤであって、
前記第１のデータ層及び前記第２のデータ層のデータを含む前記光ディスク上のデータを検出するデータ検出器と、
前記データ検出器に結合されており、双方のデータ層からのデータの存在に基づいて該プレーヤを動作させるようになっているコントローラと、
を備えるプレーヤ。
【請求項１９】
前記データコントローラが、ＤＶＤプロトコル、ＨＤプロトコル、及びＢＤプロトコルから成る群から選択される幾つかのプロトコルに従うデータを検出するようになっている、請求項１８に記載のプレーヤ。
【請求項２０】
前記第１のプロトコルが低容量プロトコルであり、前記第２のプロトコルが、ＨＤ−ＤＶＤプロトコル、及びＢＤプロトコルのうちの一つから選択される高容量プロトコルである、請求項１７に記載のプレーヤ。
【請求項２１】
基板と、
前記基板の同じ側に配置されており、ＳＤ  ＤＶＤ−９ディスクの物理フォーマットに従う第１のデータ層及び第２のデータ層であって、該第１のデータ層が、ＢＤフォーマット、ＨＤ−ＤＶＤフォーマット、及びＳＤフォーマットから成る群から選択されるアプリケーションフォーマットを有し、前記第２のデータ層が、同じ群から選択される異なるアプリケーションフォーマットを有する、該第１のデータ層及び第２のデータ層と、
前記第１の層及び第２の層の上に配置された透明保護層と、
を備えるマルチフォーマット光ディスク。
【請求項２２】
基板と、
前記基板の同じ側に配置されており、ＳＤ  ＤＶＤの物理フォーマットに従う第１のデータ層及び第２のデータ層であって、該第１のデータ層が、ＢＤフォーマット、ＨＤ−ＤＶＤフォーマット、及び、ＳＤフォーマットから成る群から選択されるアプリケーションフォーマットを有し、前記第２のデータ層が、同じ群から選択される異なるアプリケーションフォーマットを有する、該第１のデータ層及び第２のデータ層と、
前記第１の層及び第２の層の上に配置された透明保護層と、
を備えるマルチフォーマット光ディスク。
【発明の詳細な説明】
【発明の分野】
【０００１】
[0001]  本発明は、少なくとも二つのデータ層を有する光ディスクであって、各層が物理フォーマット、アプリケーションフォーマット、又はこれらの双方の何れかの異なるフォーマットを有する光ディスクに関するものである。より詳細には、本発明は、標準的なＣＤ又はＤＶＤフォーマットを有する一つのデータ層と、一つの高容量フォーマットを有する及び／又は二つの高容量フォーマットを有する第２のデータ層とを、一つのディスクに備える光ディスクに関するものである。
【従来技術の説明】
【０００２】
[0003]過去２０年の間、技術の急速な進歩により、コンテンツの配布のために使用できる幾つかの新たなタイプの媒体が開発された。これらの媒体のうちで最もポピュラーなものがＤＶＤディスクであった。最近、その物理的寸法を変えることなくＤＶＤディスクに記憶できるデータ量を著しく高める新たなフォーマットが提案されてきた。このような高容量フォーマットのうちの二つがＨＤ−ＤＶＤ及びブルーレイディスク（すなわちＢＤ）である。双方のフォーマットのディスクは、４０５ｎｍの範囲の波長を有する青藍色レーザビームを使用して読み取ることができる。このビームを用いるプレーヤは、非常に小さく且つ標準的なＤＶＤディスクよりも小さいピッチを有するスパイラル状に配置されるデータピットを検出できる。以下の表は、標準的なＤＶＤ及びこれらの二つの高容量フォーマットの典型的な特性を記している。
【表１】
2008525938.tif 000003
【０００３】
[0008]書き換え可能なディスクは、更に小さい又は更に大きい容量を有している。
【０００４】
[0009]これらのフォーマットのうちの一つを有する多層ディスク、例えば、ＤＶＤ−９、ＨＤ−ＤＶＤ−３０、ＨＤ−ＤＶＤ−４５、及びＢＤ−５０も同様に提案されている。多層ディスクの構造は、当分野において周知であり、また、ＥＰ１５８９５３１（“Ｓｅｍｉ−ｒｅｆｌｅｃｔｉｖｅ  ｆｉｌｍ  ａｎｄ  ｒｅｆｌｅｃｔｉｖｅ  ｆｉｌｍ  ｆｏｒ  ｏｐｔｉｃａｌ  ｉｎｆｏｒｍａｔｉｏｎ  ｒｅｃｏｒｄｉｎｇ  ｍｅｄｉｕｍ，ａｎｄ  ｓｐｕｔｔｅｒｉｎｇ  ｔａｒｇｅｔ”）、ＵＳ２００５００４２４０６及びＥＰ１５０５５８４（“Ｍｅｔａｌ  ａｌｌｏｙｓ  ｆｏｒ  ｔｈｅ  ｒｅｆｌｅｃｔｉｖｅ  ｏｒ  ｔｈｅ  ｓｅｍｉ−ｒｅｆｌｅｃｔｉｖｅ  ｌａｙｅｒ  ｏｆ  ａｎ  ｏｐｔｉｃａｌ  ｓｔｏｒａｇｅ  ｍｅｄｉｕｍ”）、ＵＳ２００４００９５８２７及びＥＰ１４６９４６０（“Ｏｐｔｉｃａｌ  ｒｅｃｏｒｄｉｎｇ／ｒｅｐｒｏｄｕｃｉｎｇ  ｍｅｔｈｏｄ  ａｎｄ  ｏｐｔｉｃａｌ  ｒｅｃｏｒｄｉｎｇ  ｍｅｄｉｕｍ”）、並びに、ＵＳ２００５０２０７３２６及びＰＣＴ／ＩＢ０３／０２５７０［０３１０７３３８］（“Ｄｕａｌ  ｓｔａｃｋ  ｏｐｔｉｃａｌ  ｄａｔａ  ｓｔｏｒａｇｅ  ｍｅｄｉｕｍ  ａｎｄ  ｕｓｅ  ｏｆ  ｓｕｃｈ  ｍｅｄｉｕｍ”）等の特許公報において様々に記載されている。これらの特許公報の開示内容を、参照することによって本明細書に援用する。
【０００５】
[0010]ディスクのマルチフォーマットに伴う一般的な問題点は、ディスク製造メーカが各タイプのディスクの様々なタイプを製造して、これらのディスク上のコンテンツに対する消費者需要を満たさなければならないという点である。標準的なＤＶＤディスクプレーヤを所有する消費者は、標準的なフォーマットを有するＤＶＤのみを再生することができる。ブルーレイレコーダを有する消費者は、ブルーレイフォーマットで記録可能なディスクのみを再生することができる。また、ＨＤ−ＤＶＤディスクプレーヤを有する消費者は、ＨＤ−ＤＶＤディスク又は標準的なフォーマットのＤＶＤのみを再生できるが、ブルーレイフォーマットディスクを再生することができない。製造メーカの観点からすると、映画等の一つの製品に対する消費者需要を満たすために三つの異なるタイプのディスクフォーマットを製造して配給しなければならないことは不都合である。さらに、ＤＶＤディスクのマルチフォーマットは、どのフォーマットを取得又は購入すべきかということに関して小売店及び消費者の混乱を引き起こす。
【０００６】
[0011]前述したように、ブルーレイフォーマットに伴う問題点は、高容量ブルーレイディスクのデータ層の比較的浅い深さ（０．１ｍｍ）のために、現時点で、ブルーレイプレーヤ及び／又はドライバを単一のレーザ及びピックアップを使用する従来のシステムにおける比較的深い（０．６ｍｍ）データ層を有する標準的なＤＶＤと容易に下位互換にすることができないという点である。また、ＨＤ−ＤＶＤ及びＢＤフォーマットの両者に伴う問題点は、それらが互いに互換性がないという点である。これは、高容量ディスクで使用されると、データが光ディスク上で異なる深さとなり、それぞれのフォーマットが異なるレーザ開口を必要とするからである。したがって、高容量を有するディスクが段階的に導入されると、三つの異なる種類のディスク、すなわち、標準的なＤＶＤディスク及び二つのタイプの高容量ディスク上でコンテンツを配布しなければならなくなる。前述したように、これは幾つかの理由により望ましくない。
【発明の概要】
【０００７】
[0013]本発明は、従来技術のディスクの幾つかの特性を組み合わせた新規な多層ディスクを提供する。例えば、高容量ディスクにおけるＢＤ及びＨＤ−ＤＶＤ等のデータフォーマット（これらのフォーマットは主に製造コストを考慮して設計される）の使用に加え、短い継続時間（例えば約２時間以下）のビデオプログラムの場合には、ＤＶＤ−ＨＤ又はブルーレイフォーマットなどの高解像度アプリケーションデータフォーマットと共に標準精細度ＤＶＤ（「ＳＤ」）物理フォーマットを利用することが望ましい場合がある。例えば、所謂「ＢＤ−９」ディスクは、ＳＤ、二重層ＤＶＤ−９ディスクの物理フォーマットを利用するが、データは、ＢＤアプリケーションフォーマットでフォーマットされる。同様に、所謂「ＨＤ−ＤＶＤ−９」ディスクは、ＳＤ、二重層ＤＶＤ−９ディスクの物理フォーマットを利用するが、データは、ＨＤ−ＤＶＤアプリケーションフォーマットでフォーマットされる。約１時間以下のプログラムの場合には、ＳＤ物理フォーマットのＤＶＤ−９ディスクにフォーマットの組み合わせ（ＨＤ−ＤＶＤ、ＢＤ及びＳＤ）を含ませることが望ましい場合がある。この場合、各フォーマットは二つの物理層のうちの一つを使用する。例えば、「ＨＤ／ＢＤ−５」ディスクと称されるものは、ＳＤ物理フォーマットＤＶＤ−９ディスクの一つの層にＢＤアプリケーションフォーマットのプログラムを含むとともに、他のＤＶＤ−９物理層にＨＤ−ＤＶＤアプリケーションフォーマットの同じプログラムを含む。同様に、「ＨＤ／ＳＤ−５」ディスクと称されるものは、ＳＤ物理フォーマットＤＶＤ−９ディスクの一つの層にＨＤ−ＤＶＤアプリケーションフォーマットのプログラムを含むとともに、他のＤＶＤ−９物理層にＳＤアプリケーションフォーマットの同じプログラムを含む。最後に、「ＢＤ／ＳＤ−５」ディスクは、ＳＤ物理フォーマットＤＶＤ−９ディスクの一つの層にＢＤアプリケーションフォーマットのプログラムを含むとともに、他のＤＶＤ−９物理層に標準精細度ＤＶＤ（「ＳＤ」）アプリケーションフォーマットの同じプログラムを含む。
【０００８】
[0014]また、場合によっては、ＣＤプレーヤで再生できるオーディオのみのコンテンツをマルチフォーマットＤＶＤディスクに含ませ、又は、ＣＤ  ＲＯＭデータをＣＤ  ＲＯＭ層に含ませ、ＤＶＤ  ＲＯＭデータをＤＶＤ  ＲＯＭに含ませ、及び／又は、ブルーレイＲＯＭデータをＢＤ  ＲＯＭ層に含ませることが望ましいこともある。
【０００９】
[0015]これらの問題は、幾つかの方法のうちの一つで解決できる。第１の解決法として、ＤＶＤの同じ側の異なる深さにＤＶＤデータ層及びブルーレイデータ層を有するディスクを提供す。この場合、例えば、一方の層は標準的なＤＶＤ物理・アプリケーションフォーマットを有し、他方の層はブルーレイ高容量物理・アプリケーションフォーマットを有している。第２の解決法として、ＤＶＤの一方側の同じ相対深さ（すなわち、フォーマットがＤＶＤ、ＢＤ又はＨＤ−ＤＶＤであろうとなかろうと、名目上、それぞれにおいて約０．６ｍｍ）の二つの異なるフォーマットデータ層を有するディスクを提供する。この場合、一方の層は標準的なＤＶＤフォーマットを有し、他方の層はＨＤ−ＤＶＤフォーマットを有する。第３の解決法として、ＤＶＤの一方側の同じ深さに二つの異なるアプリケーションフォーマットデータ層（一方の層は標準的なＤＶＤフォーマットを有し、他方の層はＨＤ−ＤＶＤフォーマットを有する）を有するとともに、ＤＶＤの同じ側に異なる深さの第３の二つの又は単一のＢＤデータ層を有するディスクを提供する。第４の解決法として、ディスクの一方側に二つの又は単一のＢＤデータ層を有するとともに、ディスクの他方側に二つの又は単一のＨＤ又はＤＶＤ層を有するディスクを提供する。第５の解決法として、ディスクの一方側に二つの又は単一のＢＤデータ層と、二つの或いは単一のＨＤ層又はＤＶＤ層のいずれかと、を有するとともに、ディスクの他方側に二つの或いは単一のＨＤ又はＤＶＤ層（どのフォーマットが第１の側で使用されなかったとしても）を有するディスクを提供する。第６の解決法として、ＳＤ  ＤＶＤ−９物理フォーマットを利用するがＨＤ、ＢＤ又はＤＶＤアプリケーションフォーマットから選択される二つの異なるフォーマットを別個の物理層に有するディスクを提供する。第７の解決法として、本明細書に開示するように、ディスクの一方側にＨＤ、ＢＤ又はＤＶＤフォーマットのうちの少なくとも二つを有するとともに、ディスクの同じ側から光学的にアクセスできるＣＤフォーマットを有するディスクを提供する。このようにして、物理（又は機械）、論理、アプリケーション層、又はＨＤ、ＢＤ又はＤＶＤフォーマット等の様々なタイプのフォーマットのコンポーネントを組み合わせることにより、様々なディスクを形成することができる。
【詳細な説明】
【００１０】
[0017]図１Ａ〜図１Ｆは、幾つかの標準的なＤＶＤフォーマットを示している。
【００１１】
[0018]図１Ａは、先に記載した特性を有する標準的なＤＶＤディスク１０Ａを示している。下側から始めて、ディスク１０は、不透明ラベル１２と、ポリカーボネート層１４と、データ層１６と、他のポリカーボネート層１８と、を備えている。最後の層１８は、０．６ｍｍの公称厚さを有しており、保護コーティング（図示せず）で覆われていてもよい。明確にするために、図面中のディスクは簡略化されており、当業者に周知である接着層及び樹脂層を含む様々な層が省かれていることが理解されよう。
【００１２】
[0019]図１Ｂは、二つのデータ層１６Ａ，１６Ｂを有するＤＶＤ１０Ｂを示している。二つのデータ層は、互いに非常に近接して配置されており、０．６ｍｍの公称深さで形成されている。
【００１３】
[0020]図１Ｃは、分離層１３を有する両面ＤＶＤ１０Ｃを示している。一方側は二つのデータ層１６Ａ、１６Ｂを有しており、他方側は一つのデータ層１６Ｃを有している。
【００１４】
[0021]最後に、図１ＤのＤＶＤ１０Ｄは二つの側を有しており、各側は二つのデータ層１６Ａ，１６Ｂ及び１６Ｃ，１６Ｄをそれぞれ備えている。ＤＶＤ１０Ａ，１０Ｂ，１０Ｃ，１０Ｄは、一般にＤＶＤ−５，ＤＶＤ−９，ＤＶＤ−１４，ＤＶＤ−１８と称されており、数字はそれぞれのディスクの公称データ容量を表わしている。
【００１５】
[0022]図２は、公知のＨＤ−ＤＶＤディスク２０を示しており、当該ディスク２０は、ラベル２２と、ポリカーボネート層２４と、データ層２５と、第２のポリカーボネート層２８と、を有している。層２８は、層１８と同じ公称厚さを有している。
【００１６】
[0023]図３は、公知のブルーレイディスク、すなわちＢＤ３０を示しており、当該ＢＤ３０は、ラベル３２と、ポリカーボネート層３４と、データ層３６と、第２のポリカーボネート層３８と、を有している。層３８は０．１ｍｍの公称厚さを有している。
【００１７】
[0024]ディスク２０，３０のデータ層２５，３６は前述した特性を有している。これらのディスクの特性の違いのために、ＨＤ−ＤＶＤ及びＢＤディスクの何れもが標準的なＤＶＤプレーヤによって読み取ることができない。
【００１８】
[0025]図４は、本発明に従って構成された第１のデュアルディスク４０を示している。ディスク４０は、二つのデータ層、すなわち、層１６と同じ特性を有するデータ層４６と、データ層２５の特性を有するデータ層４５とを有している。層４８は０．６ｍｍの公称厚さを有している。
【００１９】
[0026]ディスク４０は様々な方法で使用できる。例えば、ある実施形態では、ＤＶＤ層４６は標準的な映画用に使用することができ、一方、層４５は同じ映画及び幾つかの拡張及び／又は更なる情報のために使用することができる。この更なる情報としては、更なる言語でのダイアログ、又は、映画、登場人物、役者、監督などに関する背景情報を挙げることができる。この構成のディスクは、標準的なＤＶＤプレーヤ又はＨＤ−ＤＶＤプレーヤを用いて読み取ることができ、各プレーヤはデータ層のうちの一つだけを読み取る。
【００２０】
[0027]或いは、何れかの層が映画のためだけに使用されてもよく、一方、他の層が他のコンテンツのために使用されてもよい。この構成のディスクは特別なプレーヤを使用して読み取ることができる。一つのこのようなプレーヤ５０を図５に示す。このプレーヤ５０では、ディスク４０は、その軸を中心に矢印Ａにより示される方向に回転される。プレーヤは、赤色レーザ５２を有しており、当該レーザ５２は、ミラー５３及びレンズ５４を有するヘッドによりディスク４０の表面に向けられるビームを形成する。このビームは、データ層４６によって反射されて、レンズ５４及びミラー５３を通過し、ミラー５５によって検出器５６へと反射される。
【００２１】
[0028]一つの好適な実施形態では、低容量データ層（例えばＤＶＤ又はＣＤデータ層）が、顧客のためのメッセージを形成するためだけに使用される。例えば、メッセージは、ディスクが対応するプレーヤを必要とする高容量データ層を有し、且つ、通常のプレーヤ（例えば標準的なＤＶＤ又はＣＤプレーヤ）がディスクの残りのコンテンツを再生できないことを示すテキストを提供してもよい。このディスクがＤＶＤ又はＣＤプレーヤ内に挿入されると、プレーヤは、このメッセージを見つけるだけで、顧客に対してテキストを提示し或いはレンダリングし、その後、停止する。
【００２２】
[0029]別個であるが類似するヘッドが、データ層４５を読み取るために使用されてもよい。或いは、両方のデータ層を読み取るために単一のヘッドが使用される。この構成では、４０５ｎｍのビームを形成する青藍色レーザ５７が、ミラー５３及びレンズ５４を通じてディスク４０へと向けられる。このビームは、データ層４５によって反射されて、レンズ５４及びミラー５３，５５を通過する。必要に応じて、レンズコントローラ５８を使用して、レンズ５４及び／又はミラー５３の位置を変更し、レーザ５７からのレーザビームが適切に合焦されるようにする。このビームは、その後、第２の検出器５９によって検出される。このようにして、プレーヤ４０は双方のデータ層４５，４６を読み取るために使用できる。
【００２３】
[0030]他の実施形態では、青色レーザ５７を有する単一のヘッドが、双方のデータ層４５，４６を読み取るために使用され、赤色レーザ５２が省かれる。無論、低密度層（４６）を読み取るために青色レーザが使用される場合には、スポットサイズがピットサイズよりも小さいときの異なる回折効果に起因して、異なるデータ検出方式が必要とされる。また、ピット深さが赤色レーザ値で残される場合には、再生データ信号をもたらす干渉が最適化されない。したがって、最良の結果のために、この低密度層は、高密度層（４５）に類似するピット深さを有するが、４６の場合のように低い面密度を有する。
【００２４】
[0031]第２のデュアルディスク６０を図６に示す。このディスク６０も、二つのデータ層、すなわち、データ層１６に類似するデータ層６６と、データ層３７に類似するデータ層６７とを有している。基板被覆層６７は、０．１ｍｍの公称厚さを有している。
【００２５】
[0032]ＨＤ−ＤＶＤ、ブルーレイ、ＤＶＤ、ＣＤを含むレーザにより読み取られる光ディスクの様々な層に関する反射材料及び半反射材料の選択及び使用は、当業者に周知である。一般的な事柄として、データ層の数が光ディスクの一方側で増大すると、各層の許容反射率の量が減少する。層の反射率を減少させることにより、透過率を増大させることができる。上側の層の透過率の増大は、リードビームがこれらの層を通過して下側の情報層から反射されるときに当該ビームの減衰を最小限に抑えて、それによって、下側の層から検出される反射読み出し信号の大きさを最大とするために、必要である。例えば、単一の層を使用する標準的なＤＶＤでは、反射率が５〜１００％の範囲をとることができ、４５〜８５％が最も好ましい。二つの層を用いると、反射率は５〜４５％の範囲をとることができ、最も好ましい範囲は１８〜３０％である。三つの層を用いると、反射率の範囲が更に狭くなり、５〜３０％の範囲が可能であり、５〜２５％が最も好ましい。ＨＤ  ＤＶＤ及びＢＤディスクにおける反射率規格は類似している。ＨＤ  ＤＶＤの場合、単一層ディスクにとって最も好ましい反射率範囲は４０〜７０％であり、２層では１８〜３２％である。ＢＤディスクの場合、それぞれの範囲は、３５〜７０％及び１２〜２８％である。また、多層光ディスクの場合には、隣接する反射データ層間の反射率の差を制御して、後続のデータ層の十分な反射率を確保し、それにより、上記差が５％以下（約３％が好ましい）となるようにしなければならない。様々なデータ層における反射率の選択は、米国特許第６，７９０，５０３号、第６，６７３，４１０号、第６，６２３，８２７号、第５，１７１，３９２号、及びそれらの明細書中で引用されて説明されている文献、米国特許公報２００３／００９９８０６、及びこの明細書中で引用されて説明されている文献、刊行物“ＳＰＩＥ  Ｃｏｎｆｅｒｅｎｃｅ  Ｐｒｏｃｅｅｄｉｎｇ  Ｖｏ．  ２８９０，ｐａｇｅｓ  ２−９，Ｎｏｖ．  １９９６、並びに、ＥＣＭＡ  Ｉｎｔｅｒｎａｔｉｏｎａｌ  Ｓｔａｎｄａｒｄ  ＥＣＭＡ−２６７  ２０ｍｍ  ＤＶＤ−Ｒｅａｄ−Ｏｎｌｙ  Ｄｉｓｋ，第３版（２００１年４月）（http://www.ecma-international.org/publications/standards/Ecma-267.html）に詳しく説明されており、これらの全てを参照することによって本明細書に援用する。
【００２６】
[0033]上述したように、標準的なＤＶＤは、互いに隣接して配置される複数のデータ層と共に利用することもできる。同様のデュアルディスクは、複数の標準的なデータ層及び複数の高容量データ層を用いて形成することができる。図７は、二つの標準的なＤＶＤデータ層７６Ａ，７６Ｂ、及び少なくとも一つの高容量層７５Ａを有するこのようなディスク７０を示している。場合によって、第２の高容量層７５Ｂも提供される。データ層７５Ａ，７５Ｂは、層４５と同じ特性を有している。
【００２７】
[0034]図８は、二つの標準的なＤＶＤデータ層８６Ａ，８６Ｂと、二つのＢＤデータ層８７Ａ，８７Ｂと、を有する同様の構成を示している。
【００２８】
[0035]最後に、図９は、一つのＨＤデータ層９６と一つのＢＤデータ層とを有する更に他の実施形態を示している。無論、二つのＨＤデータ層及び二つのＢＤデータ層を有するディスクが同様に提供されてもよい。
【００２９】
[0036]これまで説明した全ての実施形態では、一方側に不透明ラベルを有し、二つ以上のデータ層からのデータが他方側で読み取られるディスクを提供している。
【００３０】
[0037]しかしながら、上述したように、二つの側を有する標準的なＤＶＤも知られている。以下の実施形態は、二つの側を有し、且つ、少なくとも一方側が高容量（ＨＤ又はＢＤのいずれか）データ層を有する改良されたＤＶＤを開示する。これは、一方側の公称幅を減少させることにより達成されてもよい。
【００３１】
[0038]一つのこのようなディスク１０１０を図１０に示す。ディスク１００は、二つの側１０１０Ａ，１０１０Ｂを有している。側１０１０Ａは標準的なＤＶＤデータ層１０１６を含んでおり、一方、側１０１０Ｂは高容量ＨＤデータ層１０１５を有している。先の実施形態では、データ層がそれぞれのディスクの同じ側から読み取られるが、本実施形態では、データ層１０１５が一方側から読み取られ、データ層１０１６がディスクの反対側から読み取られる。
【００３２】
[0039]図１１は、ディスク１０１０と類似するディスク１１１０を示しており、当該ディスク１１１０は、一方側に標準的なＤＶＤデータ層１１１６を有し、他方側に高容量ＢＤデータ層１１１７を有している。双方のディスク１０１０，１１１０は、それぞれのディスクを適切な側がレーザヘッドと対向する状態でプレーヤ内に挿入することにより、標準的なＤＶＤプレーヤ又は高容量プレーヤの何れかによって読み取ることができる。
【００３３】
[0040]また、デュアルディスクは、一方がＨＤ−ＤＶＤフォーマットに従い、他方がＢＤフォーマットに従う二つの高容量データ層を用いて形成されてもよい。一つのこのようなディスク１２１０を図１２に示す。ディスク１２１０は、一つのＨＤデータ層１２１５と、３７に類似するＢＤデータ層１２１７とを有している。
【００３４】
[0041]また、デュアルディスクは、ＨＤ−ＤＶＤアプリケーションフォーマット、ＢＤアプリケーションフォーマット、ＳＤ  ＤＶＤアプリケーションフォーマットから選択される異なるアプリケーションフォーマットを各層で使用するＤＶＤ−９ディスクに対応するＳＤ物理フォーマットディスクを使用して形成されてもよい。このようなディスクの物理フォーマットを図１Ｂに示す。この図１Ｂは、従来技術の「ＤＶＤ−９」フォーマットディスクを示している。図１Ｂに示すＤＶＤ−９物理フォーマットを使用すると、このようなデュアルディスクは、ＢＤフォーマット等の一つのアプリケーションディスクフォーマットを層１６Ａ上に有し、ＳＤ  ＤＶＤ等の異なるアプリケーションディスクフォーマットを層１６Ｂ上に有する。
【００３５】
[0042]また、データ層の様々な他の構成を有する両面ディスクが提供されてもよい。図１３は、一方側にＢＤデータ層１３１７を有し、他方側にＢＤデータ層を伴ったＤＶＤデータ層１３１６を有するディスクを示している。図１４は、ＤＶＤ層１４１６、及び、他方側にＢＤ１４１７を伴ったＨＤ  ＤＶＤ層１４１５を示している。
【００３６】
[0043]図１５は、一方側にＢＤデータ層１５１７Ａを有し、他方側にＢＤデータ層１５１７Ｂを伴ったＤＶＤデータ層１７１５を有するディスク１５１０を示している。
【００３７】
[0044]同様のディスクは、標準的なＣＤ層である一つのデータ層を用いて形成することができる。ラベル１２とＣＤデータ層１９とを有する標準的なＣＤ１０Ｅを図１Ｅに示す。図１６は、ＣＤデータ層１６１９及びＤＶＤデータ層１６１６を有するデュアルディスク１６１０を示している。図１７はＢＤデータ層１７１５を有するデュアルディスク１７１０を示しており、図１８はＣＤデータ層１８１９及びＢＤデータ層１８１７を有するディスク１８１０を示している。
【００３８】
[0045]図１９は、ＤＶＤデータ層１９１６及びＨＤデータ層１９１５を有するディスク１９１０を示している。
【００３９】
[0046]図２０は、ＣＤデータ層２０１９及びＢＤデータ層２０１７を有するディスク２０１０を示している。
【００４０】
[0047]図２１は、ＣＤデータ層２１１９と、ＤＶＤデータ層２１１６と、ＨＤデータ層２１１５と、ＢＤデータ層２１１７とを有するディスク２１１０を示している。
【００４１】
[0048]図２２は、ＤＶＤデータ層２１１６が省かれたディスク２１１０と類似するディスク２２１０を示している。
【００４２】
[0049]これまで開示した新規なディスクは全て、標準的なＤＶＤ又はＣＤディスクの厚さと等しい或いは当該厚さよりも僅かに大きい厚さを有している。他の周知のディスクを図１Ｆに示す。このディスク１０Ｆは、１．６ｍｍの公称厚さを有しており、一方側が１．２ｍｍの公称深さで配置されたＣＤデータ層を含むとともに、第２の側がＤＶＤデータ層１６を有している。このディスクの変形例を、図２３〜２５に示す。これらの図の全てにおいて、一方側はＣＤデータ層を有している。図２３において、ディスク２３１０は、ＨＤデータ層２３１５をもつ第２の側を有している。図２４において、ディスク２４１０は、ＤＶＤ層２４１６及びＢＤデータ層２４１７をもつ第２の側を有している。他の実施形態では、ＤＶＤデータ層２４１６が省かれる。図２５において、ディスク２５１０は、ＨＤデータ層２５１５及びＢＤデータ層２５１７をもつ第２の側を有している。
【００４３】
[0050]本明細書で説明した本発明の多数の変形を、添付の特許請求の範囲に規定された本発明の範囲から逸脱することなく、成すことができる。
【図面の簡単な説明】
【００４４】
【図１Ａ】標準的なＤＶＤフォーマットを示す図である。
【図１Ｂ】標準的なＤＶＤフォーマットを示す図である。
【図１Ｃ】標準的なＤＶＤフォーマットを示す図である。
【図１Ｄ】標準的なＤＶＤフォーマットを示す図である。
【図１Ｅ】標準的なＤＶＤフォーマットを示す図である。
【図１Ｆ】標準的なＤＶＤフォーマットを示す図である。
【図２】公知のＨＤ−ＤＶＤディスクを示す図である。
【図３】公知のブルーレイディスクを示す図である。
【図４】本発明に従って構成された第１のデュアルディスクを示す図である。
【図５】プレーヤを示す図である。
【図６】第２のデュアルディスクを示す図である。
【図７】二つの標準的なＤＶＤデータ層及び少なくとも一つの高容量層を有するディスク７０を示す図である。
【図８】二つの標準的なＤＶＤデータ層と二つのＢＤデータ層とを有する構成を示す図である。
【図９】一つのＨＤデータ層と一つのＢＤデータ層とを有する他の実施形態を示す図である。
【図１０】ディスクを示す図である。
【図１１】ディスクを示す図である。
【図１２】ディスクを示す図である。
【図１３】一方側にＢＤデータ層を有し、他方側にＢＤデータ層を伴ったＤＶＤデータ層を有するディスクを示す図である。
【図１４】ＤＶＤ層、及び他方側のＢＤを伴ったＨＤ  ＤＶＤ層を示す図である。
【図１５】一方側にＢＤデータ層を有し、他方側にＢＤデータ層を伴ったＤＶＤデータ層を有するディスクを示す図である。
【図１６】ＣＤデータ層及びＤＶＤデータ層を有するデュアルディスクを示す図である。
【図１７】ＢＤデータ層を有するデュアルディスクを示す図である。
【図１８】ＣＤデータ層及びＢＤデータ層を有するディスクを示す図である。
【図１９】ＤＶＤデータ層及びＨＤデータ層を有するディスクを示す図である。
【図２０】ＣＤデータ層及びＢＤデータ層を有するディスクを示す図である。
【図２１】ＣＤデータ層と、ＤＶＤデータ層と、ＨＤデータ層と、ＢＤデータ層とを有するディスクを示す図である。
【図２２】ＤＶＤデータ層が省かれたディスクを示す図である。
【図２３】ディスクを示す図である。
【図２４】ディスクを示す図である。
【図２５】ディスクを示す図である。
【図１Ａ】
2008525938.tif 000004
【図１Ｂ】
2008525938.tif 000005
【図１Ｃ】
2008525938.tif 000006
【図１Ｄ】
2008525938.tif 000007
【図１Ｅ】
2008525938.tif 000008
【図１Ｆ】
2008525938.tif 000009
【図２】
2008525938.tif 000010
【図３】
2008525938.tif 000011
【図４】
2008525938.tif 000012
【図５】
2008525938.tif 000013
【図６】
2008525938.tif 000014
【図７】
2008525938.tif 000015
【図８】
2008525938.tif 000016
【図９】
2008525938.tif 000017
【図１０】
2008525938.tif 000018
【図１１】
2008525938.tif 000019
【図１２】
2008525938.tif 000020
【図１３】
2008525938.tif 000021
【図１４】
2008525938.tif 000022
【図１５】
2008525938.tif 000023
【図１６】
2008525938.tif 000024
【図１７】
2008525938.tif 000025
【図１８】
2008525938.tif 000026
【図１９】
2008525938.tif 000027
【図２０】
2008525938.tif 000028
【図２１】
2008525938.tif 000029
【図２２】
2008525938.tif 000030
【図２３】
2008525938.tif 000031
【図２４】
2008525938.tif 000032
【図２５】
2008525938.tif 000033
【国際調査報告】
2008525938.tif 000034